(57)【要約】      （修正有）【課題】印刷装置に設けられた廃インクタンクの交換時期を精度良く予測することができる印刷装置の制御方法を提供する。【解決手段】印刷装置は、廃インクが発生するメンテナンス動作を行う毎に廃インクの発生量を積算し、積算量Ｑが上限量の８０％を越えると廃インクタンク交換時期を予測する。印刷装置ではメンテナンス動作としてフラッシング、クリーニング、気泡除去動作の３種類を行うため、メンテナンス動作の種類毎に廃インク量の積算量の増加パターンを求め、これら３種類のメンテナンス動作のそれぞれに起因する廃インク量が、メンテナンス動作毎に個別に求めた最も高い増加率で増加することを想定した場合の廃インクタンク交換時期Ｔ１を予測する。従って、廃インクタンク内の廃インク量が最も早く上限値に達する時期を精度良く予測できる。よって、廃インクタンクの交換が間に合わずに印刷装置が印刷不能になるおそれが少ない。【選択図】図４
2017080916.tif 000002
【特許請求の範囲】
【請求項１】
印刷ヘッドと、廃インクを貯留する廃インクタンクと、前記廃インクタンクへ回収される廃インクが発生する少なくとも前記印刷ヘッドからのインクの吐出もしくは吸引を含む複数のメンテナンス動作を行うメンテナンス機構と、を有する印刷装置の制御方法であって、
前記複数のメンテナンス動作のいずれかを行う毎に、行ったメンテナンス動作の１回当たりの廃インク量に基づいて廃インク量の積算量を更新する積算ステップを行い、
前記積算量が予め設定した基準量を越えると、前記廃インクタンク内の廃インク量が予め設定した上限量となる廃インクタンク交換時期を予測する予測ステップを行い、
前記予測ステップでは、
前記複数のメンテナンス動作のそれぞれに起因する廃インク量の積算量の増加パターンを求め、前記複数の増加パターンのそれぞれについて、前記積算量の増加率の最大値を求め、複数の前記最大値に基づいて前記廃インクタンク交換時期を予測することを特徴とする印刷装置の制御方法。
【請求項２】
前記予測ステップでは、
前記複数の増加パターンのそれぞれについて、前記積算量の増加率の最大値および最小値を求め、
複数の前記最大値に基づいて第１の時期を予測し、
複数の前記最小値に基づいて第２の時期を予測し、
前記第１の時期から前記第２の時期までの期間を、前記廃インクタンク交換時期とすることを特徴とする請求項１に記載の印刷装置の制御方法。
【請求項３】
前記複数のメンテナンス動作は、
前記印刷ヘッドのインクノズルからインクを吐出するフラッシングと、
前記インクノズルからインクを吸引するクリーニングと、
前記印刷ヘッドにインクを供給するカートリッジがカートリッジ装着部に装着されたことに基づいて前記インクノズルからインクの吐出および吸引を行う気泡除去動作であることを特徴とする請求項１または２に記載の印刷装置の制御方法。
【請求項４】
前記廃インクタンク交換時期をサーバーに送信する送信ステップを行うことを特徴とする請求項１から３のいずれかの項に記載の印刷装置の制御方法。
【請求項５】
前記サーバーからリアルタイムコマンドによる送信要求を受信すると、前記送信ステップを行うことを特徴とする請求項４に記載の印刷装置の制御方法。
【請求項６】
インクを吐出する印刷ヘッドと、
前記印刷ヘッドにインクを供給するカートリッジが装着されるカートリッジ装着部と、
廃インクを貯留する廃インクタンクと、
前記廃インクタンクへ回収される廃インクが発生する少なくとも前記印刷ヘッドからのインクの吐出もしくは吸引を含む複数のメンテナンス動作を行うメンテナンス機構と、
前記印刷ヘッドおよび前記メンテナンス機構を制御する制御部と、を有し、
前記制御部は、
請求項１から３のいずれかの項に記載の印刷装置の制御方法により、前記廃インクタンク交換時期を予測することを特徴とする印刷装置。
【請求項７】
サーバーと通信を行う通信部を備え、
前記制御部は、前記サーバーから廃インクタンク交換時期の送信要求を受信すると、前記廃インクタンク交換時期をサーバーに送信することを特徴とする請求項６に記載の印刷装置。
【請求項８】
印刷装置、および前記印刷装置と通信可能なサーバーを有する印刷システムであって、
前記印刷装置は、
インクを吐出する印刷ヘッドと、
廃インクを貯留する廃インクタンクと、
前記廃インクタンクへ回収される廃インクが発生する少なくとも前記印刷ヘッドからのインクの吐出もしくは吸引を含む複数のメンテナンス動作を行うメンテナンス機構と、
前記複数のメンテナンス動作の実施履歴および各メンテナンス動作で発生した廃インク量を前記サーバーに送信する制御部と、を備え、
前記サーバーは、
前記実施履歴に基づいて廃インク量を積算する積算部と、
前記廃インク量の積算量が予め設定した基準量を越えると、前記複数のメンテナンス動作のそれぞれに起因する廃インク量の積算量の増加パターンを求め、前記複数の増加パターンのそれぞれについて、前記積算量の増加率の最大値を求め、複数の前記最大値に基づいて前記廃インクタンク内の廃インク量が予め設定した上限量となる廃インクタンク交換時期を予測する予測部と、を備えることを特徴とする印刷システム。
【請求項９】
前記サーバーは、前記廃インクタンク交換時期を前記印刷装置および予め設定された情報機器のいずれか一方もしくは両方に送信することを特徴とする請求項８に記載の印刷システム。
【発明の詳細な説明】
【技術分野】
【０００１】
本発明は、廃インクを貯留する廃インクタンクを備える印刷装置およびその制御方法、ならびに廃インクタンクを備える印刷装置とサーバーとの間で通信を行う印刷システムに関する。
【背景技術】
【０００２】
従来から、印刷ヘッドに設けられたインクノズルの目詰まりを抑制もしくは解消するためにインクノズルからインクを吐出するフラッシング、あるいは、インクノズルからインクを吸引するクリーニングを行う印刷装置が用いられている。この種の印刷装置は、インクノズルから吐出されるインク、あるいはインクノズルから吸引されるインクを回収する廃インクタンクを備える。印刷装置が長期間使用されると、廃インクタンクが一杯になり、これ以上インクを回収できないという事態が発生する。インクを回収できないとフラッシングやクリーニングを行うことができないため、印刷を続けることができない。そこで、廃インクタンクを交換することにより、印刷装置を印刷可能な状態に復帰させる。
【０００３】
廃インクタンクにインクを回収する印刷装置において、廃インクタンクに回収される廃インク量を算出し、廃インク量が廃インクタンクの容量を超えるタイミングを予測して警告表示を行うものがある。特許文献１には、この種の印刷装置が開示されている。特許文献１の印刷装置は、吸引動作ごとのインクの単位吸引量を記憶しており、吸引動作の回数と単位吸引量から廃インク量を算出する。そして廃インク量が廃インクタンクの容量の９０％を超えると、廃インクタンクがオーバーフローする時期を予測して警告表示を行う。
【先行技術文献】
【特許文献】
【０００４】
【特許文献１】特開２００１−１９９０５７号公報
【発明の概要】
【発明が解決しようとする課題】
【０００５】
廃インクタンクがオーバーフローする時期を予測して廃インクタンクの交換を促す場合、ユーザーの使用状態によっては廃インクが多く発生し、予想よりも早く廃インクタンクがオーバーフローするおそれがある。この場合は廃インクタンクの交換が間に合わないので、廃インクタンクの交換を実施できるまでの間は印刷を行うことができない。このような事態を避けるためには、廃インクが多く発生する使用状態を想定して廃インクタンクの交換時期を予測する必要があるが、そのような予測方法は提案されていない。
【０００６】
本発明の課題は、以上の問題点に鑑みて、廃インクタンクの交換時期を精度良く予測できる印刷装置およびその制御方法、ならびに印刷システムを提案することにある。
【課題を解決するための手段】
【０００７】
上記の課題を解決するために、本発明は、印刷ヘッドと、廃インクを貯留する廃インクタンクと、前記廃インクタンクへ回収される廃インクが発生する少なくとも前記印刷ヘッドからのインクの吐出もしくは吸引を含む複数のメンテナンス動作を行うメンテナンス機構と、を有する印刷装置の制御方法であって、前記複数のメンテナンス動作のいずれかを行う毎に、行ったメンテナンス動作の１回当たりの廃インク量に基づいて廃インク量の積算量を更新する積算ステップを行い、前記積算量が予め設定した基準量を越えると、前記廃インクタンク内の廃インク量が予め設定した上限量となる廃インクタンク交換時期を予測する予測ステップを行い、前記予測ステップでは、前記複数のメンテナンス動作のそれぞれに起因する廃インク量の積算量の増加パターンを求め、前記複数の増加パターンのそれぞれについて、前記積算量の増加率の最大値を求め、複数の前記最大値に基づいて前記廃インクタンク交換時期を予測することを特徴とする。
【０００８】
また、本発明の印刷装置は、インクを吐出する印刷ヘッドと、前記印刷ヘッドにインクを供給するカートリッジが装着されるカートリッジ装着部と、廃インクを貯留する廃インクタンクと、前記廃インクタンクへ回収される廃インクが発生する少なくとも前記印刷ヘッドからのインクの吐出もしくは吸引を含む複数のメンテナンス動作を行うメンテナンス機構と、前記印刷ヘッドおよび前記メンテナンス機構を制御する制御部と、を有し、前記制御部は、上記の印刷装置の制御方法により、前記廃インクタンク交換時期を予測することを特徴とする。
【０００９】
更に、本発明は、印刷装置、および前記印刷装置と通信可能なサーバーを有する印刷システムであって、前記印刷装置は、インクを吐出する印刷ヘッドと、廃インクを貯留する廃インクタンクと、前記廃インクタンクへ回収される廃インクが発生する少なくとも前記印刷ヘッドからのインクの吐出もしくは吸引を含む複数のメンテナンス動作を行うメンテナンス機構と、前記複数のメンテナンス動作の実施履歴および各メンテナンス動作で発生した廃インク量を前記サーバーに送信する制御部と、を備え、前記サーバーは、前記実施履歴に基づいて廃インク量を積算する積算部と、前記廃インク量の積算量が予め設定した基準量を越えると、前記複数のメンテナンス動作のそれぞれに起因する廃インク量の積算量の増加パターンを求め、前記複数の増加パターンのそれぞれについて、前記積算量の増加率の最大値を求め、複数の前記最大値に基づいて前記廃インクタンク内の廃インク量が予め設定した上限量となる廃インクタンク交換時期を予測する予測部と、を備えることを特徴とすることを特徴とする。
【００１０】
本発明によれば、メンテナンス動作を行う毎に廃インクの発生量を積算し、積算量（すなわち、廃インクタンク内の廃インクの総量の推定値）が予め定めた基準量を越えると、廃インク量の増加パターンに基づいて廃インクタンク交換時期を予測する。従って、ユーザーの使用実態に応じた予測結果が得られ、廃インクタンク交換時期を精度良く予測できる。また、本発明では、メンテナンス動作の種類毎に、廃インク量や実施頻度が異なっていることを考慮して廃インクタンク交換時期を予測する。具体的には、メンテナンス動作の種類毎に廃インクの増加率の最大値を求め、求めた複数の最大値に基づいて廃インクタンク交換時期を予測する。このようにすると、複数のメンテナンス動作のそれぞれが、廃インクの増加率が最も大きくなる頻度で行われることを想定した予測値が得られる。従って、予測結果よりも早い時期に廃インクタンクにインクを回収できなくなるおそれが少なく、印刷不能な状態が発生するおそれが少ない。
【００１１】
本発明の印刷装置およびその制御方法において、前記複数の増加パターンのそれぞれについて、前記積算量の増加率の最大値および最小値を求め、複数の前記最大値に基づいて第１の時期を予測し、複数の前記最小値に基づいて第２の時期を予測し、前記第１の時期から前記第２の時期までの期間を、前記廃インクタンク交換時期とすることが望ましい。このようにすると、廃インクタンク交換時期を時点でなく期間で把握できる。従って、ユーザー側で廃インクタンクの交換を早めに行うか遅めに行うかを適宜判断して廃インクタンクの交換準備を行うことができる。
【００１２】
本発明の印刷装置およびその制御方法において、前記複数のメンテナンス動作は、前記印刷ヘッドのインクノズルからインクを吐出するフラッシングと、前記インクノズルからインクを吸引するクリーニングと、前記印刷ヘッドにインクを供給するカートリッジがカートリッジ装着部に装着されたことに基づいて前記インクノズルからインクの吐出および吸引を行う気泡除去動作である。従って、ユーザーによる印刷内容の傾向や、ユーザーがマニュアルでクリーニングを実施する頻度の傾向、あるいは、カートリッジの交換頻度の傾向などを反映して廃インクタンクの交換時期を予測できる。
【００１３】
本発明の印刷装置およびその制御方法において、廃インクタンク交換時期をサーバーに送信することが望ましい。このようにすると、サーバー側で廃インクタンク交換時期を管理でき、廃インクタンクの交換準備をサーバー側で促すことができる。また、この場合には、サーバーから印刷装置にリアルタイムコマンドによる送信要求を送信すれば、他のコマンドに優先して廃インクタンク交換時期の送信を行わせることができる。また、印刷装置がエラー状態であっても廃インクタンク交換時期の送信を行わせることができる。
【００１４】
本発明の印刷システムにおいて、前記サーバーは、前記廃インクタンク交換時期を前記印刷装置および予め設定された情報機器のいずれか一方もしくは両方に送信することが望ましい。このようにすると、印刷装置およびサーバーから離れた任意の場所で廃インクタンク交換時期を管理できる。
【図面の簡単な説明】
【００１５】
【図１】本発明を適用した印刷装置を模式的に示す説明図である。
【図２】印刷ヘッド、メンテナンス機構、および廃インクタンクを模式的に示す説明図である。
【図３】印刷装置の制御系を示す概略ブロック図である。
【図４】廃インクタンク交換時期の予測方法を示す説明図である。
【図５】メンテナンス動作の種類毎に廃インク量の積算量の増加パターンを示したグラフである。
【図６】印刷システムの構成図である。
【図７】他の形態の廃インクタンク交換時期の予測方法を示す説明図である。
【図８】他の形態の印刷システムの構成図である。
【発明を実施するための形態】
【００１６】
以下に、図面を参照して、本発明を適用した印刷装置および印刷装置の制御方法、ならびに印刷システムの実施の形態を説明する。
【００１７】
（全体構成）
図１は本発明を適用した印刷装置を模式的に示す説明図である。印刷装置１は、複数種類のインクを用いて印刷媒体Ｐに印刷を行うインクジェットプリンターである。印刷装置１は、ロール紙２を装填するロール紙装填部３と、ロール紙装填部３の前方に配置されたプラテン４と、プラテン４を経由する搬送路５に沿ってロール紙２から引き出された印刷媒体Ｐを搬送する搬送機構６を備える。搬送機構６は、繰り出しローラー７、搬送ローラー対８、紙送りモーター９等を備える。ロール紙２から引き出された印刷媒体Ｐは、繰り出しローラー７に掛け回されてプラテン４に向かう方向に方向転換される。搬送ローラー対８は繰り出しローラー７とプラテン４の間に配置されている。搬送ローラー対８は、印刷媒体Ｐに下側から当接する駆動ローラー８ａと、印刷媒体Ｐを上側から駆動ローラー８ａに押し付ける従動ローラー８ｂを備える。駆動ローラー８ａには、紙送りモーター９の回転が伝達される。印刷媒体Ｐは、駆動ローラー８ａの回転によってプラテン４に向かう方向に搬送される。
【００１８】
図２は印刷ヘッド、メンテナンス機構、および廃インクタンクを模式的に示す説明図である。図１、図２に示すように、印刷装置１は、プラテン４に支持された印刷媒体Ｐにインクを吐出する印刷ヘッド１０と、印刷ヘッド１０にインクを供給するカートリッジ１１が装着されるカートリッジ装着部１２と、印刷ヘッド１０のメンテナンスを行うメンテナンス機構１３と、印刷ヘッド１０のメンテナンスによって発生した廃インクを貯留する廃インクタンク１６を備える。図２に示すように、カートリッジ装着部１２には、シアン、マゼンタ、イエローおよびブラックのインクを収容する４つのカートリッジ１１Ｃ、１１Ｍ、１１Ｙ、１１Ｋが装着される。印刷ヘッド１０には、図示しないインク流路を介してこれら４色のインクが供給される。
【００１９】
メンテナンス機構１３は、プラテン４および搬送路５の幅方向（印刷媒体Ｐの搬送方向と直交する方向）の外側に外れた位置に配置されている。メンテナンス機構１３は、ヘッドキャップ１４および吸引ポンプ１５を備える。ヘッドキャップ１４は、吸引ポンプ１５が設けられた廃インクチューブを介して廃インクタンク１６に接続される。ヘッドキャップ１４の内側には、印刷ヘッド１０から吐出もしくは吸引されたインクを受けるインク吸収材が配置されている。ヘッドキャップ１４は、図示しないキャップ昇降機構によって上下方向に移動可能である。
【００２０】
印刷ヘッド１０は、ヘッド移動機構１７により、プラテン４に対向する印刷位置１０Ａ、および、ヘッドキャップ１４に対向するメンテナンス位置１０Ｂに移動可能である。ヘッド移動機構１７は、印刷ヘッド１０を搭載するキャリッジ１８をキャリッジモーター１９の駆動力によって移動させる機構である。印刷ヘッド１０には、カートリッジ１１Ｃ、１１Ｍ、１１Ｙ、１１Ｋから供給された４色のインクを吐出するインクノズルが設けられている。印刷ヘッド１０に設けられたインクノズルの目詰まりや気泡によるノズル抜けを解消および抑制するために、メンテナンス機構１３は、フラッシングと、クリーニングと、気泡除去動作の３種類のメンテナンス動作を行う。これらのメンテナンス動作を行うときは、メンテナンス位置１０Ｂに印刷ヘッド１０を移動させ、しかる後に印刷ヘッド１０に向けてヘッドキャップ１４を上昇させて、印刷ヘッド１０のインクノズル面をヘッドキャップ１４でキャッピングする。
【００２１】
フラッシングは、印刷ヘッド１０からヘッドキャップ１４内へインクを吐出する動作である。フラッシングを行うと、増粘してインクノズルを目詰まりさせるおそれのあるインクをインクノズルから除去することができる。クリーニングは、インクノズル面をヘッドキャップ１４でキャッピングした状態で吸引ポンプ１５を駆動して、インクノズル内のインクをヘッドキャップ１４側へ吸引する動作である。クリーニングを行うと、増粘したインクをインクノズルから除去することができ、インクを吐出できない目詰まり状態になった場合でも、インクノズル内のインクを吸引して除去することができる。従って、目詰まり状態を解消することができる。また、気泡除去動作は、フラッシングとクリーニングを適宜組み合わせたメンテナンス動作である。気泡除去動作により、カートリッジ１１の交換に伴ってインク流路に侵入した気泡が除去される。従って、ノズル抜けを抑制することができる。これら３種類のメンテナンス動作によって発生した廃インクは、吸引ポンプ１５による吸引を行ったときに、廃インクチューブを経由して廃インクタンク１６に回収される。
【００２２】
（制御系）
図３は印刷装置１の制御系を示す概略ブロック図である。印刷装置１の制御系は、ＣＰＵおよびＲＯＭ、ＲＡＭなどを備え、ＲＯＭに記憶したファームウェアをＣＰＵが読み出して実行することによって実現される制御部２０を備える。制御部２０は、通信部２１を介してサーバー４０と通信可能であり、サーバー４０から送信された印刷データやコマンドを受信する。また、サーバー４０以外の装置から印刷データやコマンドを受信することもできる。制御部２０は、印刷制御部２２と、メンテナンス実行部２３と、表示制御部２４と、廃インク量を積算する積算部２５と、廃インクタンク１６の交換時期を予測する予測部２６とを備える。
【００２３】
印刷制御部２２は、受信した印刷データに基づいて搬送機構６、印刷ヘッド１０、ヘッド移動機構１７等を制御して印刷媒体Ｐへの印刷を行う。メンテナンス実行部２３は、予め設定された各種のタイミングでメンテナンス機構１３等を制御して、フラッシング、クリーニング、および気泡除去動作を適宜行う。例えば、メンテナンス実行部２３は、印刷装置１に設けられた図示しない操作部からクリーニングの実行を指示する入力がなされると、その入力信号に基づいてクリーニングを実行する。また、メンテナンス実行部２３は、カートリッジ１１の交換が行われたことが図示しない検出部によって検出されると、その検出信号に基づいて気泡除去動作を行う。
【００２４】
印刷装置１は、廃インクタンク１６を交換すべき廃インクタンク交換時期を報知するための表示部３０を備えている。表示制御部２４は、表示部３０に制御信号を供給して表示内容を制御する。表示部３０は、例えば、印刷装置１の操作パネルなどに設けられる。
【００２５】
（廃インク量の積算および廃インクタンク交換時期の予測）
図４は廃インクタンク交換時期の予測方法を示す説明図である。図４に示す積算量Ｑは、３種類のメンテナンス動作による廃インク量を積算した値である。積算部２５は、メンテナンス機構１３による３種類のメンテナンス動作のいずれが行われる毎に、行われたメンテナンス動作による１回当たりの廃インク量を積算する処理（積算ステップ）を行う。積算部２５は、廃インクタンク１６の交換が行われる毎に積算量を０に戻すリセット処理を行う。そして、次の廃インクタンク１６の交換が行われるまでは、メンテナンス動作が行われる毎に、発生した廃インク量を積算して積算量Ｑを更新する。積算部２５は、上記の３種類のメンテナンス動作（フラッシング、クリーニング、気泡除去動作）のそれぞれについて、１回の動作で発生する廃インク量を記憶する。例えば、フラッシング１回当たりの廃インク量として０．０２６ｃｃの値を記憶する。また、クリーニング１回当たりの廃インク量として３．７ｃｃの値を記憶する。
【００２６】
予測部２６は、積算部２５が保持する積算量Ｑを監視しており、積算量Ｑが廃インクタンク１６に貯留可能な廃インクの上限量の８０％を超えると、廃インクタンク交換時期を予測する処理（予測ステップ）を行う。なお、廃インクタンク交換時期を予測する処理を行うタイミングは、積算量Ｑが廃インクタンク１６に貯留可能な上限量の８０％を超えたタイミングに限定されるものではなく、適宜設定することができる。例えば、積算量Ｑが上限量の８５％あるいは９０％を超えたタイミングで廃インクタンク交換時期を予測してもよい。
【００２７】
図４に示すように、廃インクタンク１６に貯留される廃インク量は、フラッシングに起因する廃インク量の積算量ＱＡと、クリーニングに起因する廃インク量の積算量ＱＢと、気泡除去動作に起因する廃インク量の積算量ＱＣに分けることができ、Ｑ＝ＱＡ＋ＱＢ＋ＱＣである。図５は、メンテナンス動作の種類毎に廃インク量の積算量の増加パターンを示したグラフであり、図５（ａ）はフラッシングによる廃インク量の積算量ＱＡの増加パターン、図５（ｂ）はクリーニングによる廃インク量の積算量ＱＢの増加パターン、図５（ｃ）は気泡除去動作による廃インク量の積算量Ｑの増加パターンである。予測部２６は、積算量Ｑが０の時点から、上限量の８０％に到達する時点Ｔまでの期間におけるメンテナンス動作の発生履歴を記憶する。そして、この発生履歴のデータに基づき、積算量Ｑが０から上限量の８０％に到達する時点Ｔまでの期間における、３種類のメンテナンス動作のそれぞれに起因する積算量ＱＡ、ＱＢ、ＱＣの増加パターンを個別に求める。求めた増加パターンは、図５（ａ）〜（ｃ）のようになる。そして、これら３種類の積算量ＱＡ、ＱＢ、ＱＣの増加パターンに基づいて、廃インクタンク交換時期を算出する。ここで、メンテナンス動作の発生履歴から積算量ＱＡ、ＱＢ、ＱＣの増加パターンを求めるにあたっては、単に積算量の増加履歴を折れ線グラフにしてもよいし、１次式、２次式、あるいは３次式などの近似式に当てはめて近似曲線のグラフを作成してもよい。
【００２８】
予測部２６は、３種類の増加パターンのそれぞれから、積算量の増加率の最大値を求める。図５（ａ）〜（ｃ）に示すように、フラッシングに起因する積算量ＱＡの増加率の最大値はθＡであり、クリーニングに起因する積算量ＱＢの増加率の最大値はθＢであり、気泡除去動作に起因する積算量ＱＣの増加率の最大値はθＣである。メンテナンス動作の種類毎に積算量の増加率の最大値を求める場合、最大値が発生するタイミングはメンテナンス動作の種類毎に異なる。すなわち、フラッシングに起因する積算量ＱＡの増加率が最大値θＡとなる時点ＴＡと、クリーニングに起因する積算量ＱＢの増加率が最大値θＢとなる時点ＴＢと、気泡除去動作に起因する積算量ＱＣの増加率が最大値θＣとなる時点ＴＣは、それぞれ異なる時点である。
【００２９】
図４に示すように、予測部２６は、求めた増加率θＡ、θＢ、θＣの合計値であるθを算出する。この場合、θは、３種類のメンテナンス動作の全てが、発生履歴に含まれる最も多い頻度で行われると仮定した場合の増加率である。そして、廃インク量の積算量Ｑの増加率がθであった場合に、積算量が８０％から上限量（１００％）に到達するまでの期間ΔＴを算出する。これにより、廃インクタンク交換時期Ｔ１は、Ｔ１＝Ｔ＋ΔＴのように算出できる。
【００３０】
表示制御部２４は、予測部２６によって廃インクタンク交換時期Ｔ１が算出されると、算出結果に基づいて表示部３０（図３参照）を制御して、廃インクタンク交換時期Ｔ１を表示部３０に表示する。これにより、印刷装置１を操作するユーザーが廃インクタンク交換時期Ｔ１の表示に気付くので、廃インクタンク１６の交換準備を行うことができる。従って、印刷不能状態が発生する前に、廃インクタンク１６の交換を行うことができる。
【００３１】
（印刷システム）
図６は印刷システムの構成図である。印刷システム１００は、印刷装置１およびサーバー４０を備えており、印刷装置１とサーバー４０は通信可能である。図６の形態では、１台のサーバー４０に対して複数台の印刷装置１が通信可能に構成された例を示しているが、印刷装置１の数は１台でもよいし、何台であってもよい。サーバー４０は、例えば、印刷装置１の保守管理を行うサポートセンターに設置される。サーバー４０は、複数の印刷装置１のそれぞれに対して廃インクタンク交換時期Ｔ１を要求するコマンドを送信する。印刷装置１は、通信部２１を介してサーバー４０からのコマンドを受信する。制御部２０は、既に廃インクタンク交換時期Ｔ１を算出していた場合には、廃インクタンク交換時期Ｔ１をサーバー４０に送信する処理（送信ステップ）を行う。サーバー４０は、定期的にこのようなコマンドを印刷装置１に送信することにより、印刷装置１の廃インクタンク交換時期Ｔ１が近づいた場合にそのことを把握できる。従って、サポートセンターから廃インクタンク１６の交換準備を促すことができる。
【００３２】
サーバー４０から印刷装置１に廃インクタンク交換時期Ｔ１の送信を要求する場合に、リアルタイムコマンドからなる送信要求を用いることが望ましい。この場合には、他のコマンドに優先して廃インクタンク交換時期Ｔ１の送信を行わせることができる。また、印刷装置１がエラー状態であっても廃インクタンク交換時期Ｔ１の送信を行わせることができる。
【００３３】
サーバー４０は、ネットワークを介して情報機器５０と通信可能である。情報機器５０は、例えば、印刷装置１のユーザーやその管理者が使用する携帯端末やパーソナルコンピュータなどの端末装置である。サーバー４０は、印刷装置１と情報機器５０とを対応付けて記憶する。サーバー４０は、印刷装置１について廃インクタンク交換時期Ｔ１のデータを取得した場合には、印刷装置１に対応付けられた情報機器５０に対して電子メールなどの手段で廃インクタンク交換時期Ｔ１を送信する。これにより、印刷装置１のユーザーやその管理者に対して廃インクタンク交換時期Ｔ１を通知することができる。
【００３４】
（作用効果）
以上のように、本形態の印刷装置１は、メンテナンス動作を行う毎に廃インクの発生量を積算し、積算量Ｑ（すなわち、廃インクタンク１６内の廃インクの総量の推定値）が予め定めた基準量（上限量の８０％）を越えると、廃インク量の増加パターンに基づいて廃インクタンク交換時期を予測する。従って、ユーザーの使用実態に応じた予測結果が得られ、廃インクタンク交換時期を精度良く予測できる。また、本発明では、メンテナンス動作の種類毎に、廃インク量や実施頻度が異なっていることを考慮して廃インクタンク交換時期を予測する。具体的には、メンテナンス動作の種類毎に廃インクの増加率の最大値を求め、求めた複数の最大値に基づいて廃インクタンク交換時期を予測する。このようにすると、複数のメンテナンス動作のそれぞれが、廃インクの増加率が最も大きくなる頻度で行われることを想定した予測値が得られる。従って、予測結果よりも早い時期に廃インクタンク１６にインクを回収できなくなるおそれが少ないので、印刷不能な状態が発生するおそれが少ない。
【００３５】
本形態では、フラッシング、クリーニング、気泡除去動作の３種類のメンテナンス動作の履歴に基づいて廃インクタンク交換時期を予測する。従って、ユーザーによる印刷内容の傾向や、ユーザーがマニュアル操作によってクリーニングを実施する頻度の傾向、あるいは、カートリッジの交換頻度の傾向などを反映して廃インクタンク交換時期を予測できる。
【００３６】
本形態では、廃インクタンク交換時期を印刷装置１からサーバー４０に送信することにより、サーバー４０側で廃インクタンク交換時期を管理できる。あるいは、予測した廃インクタンク交換時期に基づき、印刷装置１の表示部３０に廃インクタンク１６の交換を促す表示を行うこともできる。さらに、サーバー４０から印刷装置１に対応付けられた情報機器５０に対して、廃インクタンク交換時期を送信することもできる。従って、印刷装置１を使用あるいは管理するユーザーが廃インクタンク交換時期Ｔ１を遅滞なく知ることができる。従って、廃インクタンク１６の交換準備を遅滞なく行うことができる。
【００３７】
（変形例）
（１）上記形態のように、３種類のメンテナンス動作のそれぞれに起因する廃インク量の増加率θＡ、θＢ、θＣを、メンテナンス動作の履歴データから求めた最も大きな増加率となるように想定する代わりに、よりユーザーの使用実態に近い頻度に設定して、廃インクタンク交換時期Ｔ１を予測してもよい。例えば、メンテナンス動作毎に、廃インク量の増加率の最大値ではなく平均値を求め、平均値に基づいて廃インクタンク交換時期を予測してもよい。あるいは、積算量Ｑが０から８０％になるまでの全期間の履歴データを用いて予測する代わりに、後半の時期の履歴データのみを用いて廃インクタンク交換時期を予測してもよい。このようにすると、直近の使用実態を反映した予測を行うことができるので、廃インクタンク交換時期を精度良く予測できる。そして、廃インクタンク交換時期を精度良く予測できれば、廃インクタンク１６の交換が間に合わずに印刷装置１が印刷不能になってしまうおそれが少ない。また、廃インクタンク１６の交換が早すぎることによる無駄を削減できる。
【００３８】
（２）図７は他の形態の廃インクタンク交換時期の予測方法を示す説明図である。本例では、３種類のメンテナンス動作のそれぞれについて、廃インク量の積算量の増加パターンを求め、求めた増加パターンの中から増加率の最大値θＡ、θＢ、θＣだけでなく増加率の最小値についても求め、３種類の最小値の合計値であるθ２を求め、θ２から第２の時期Ｔ２を予測する。そして、増加率の最大値θＡ、θＢ、θＣから求めた廃インクタンク交換時期を第１の時期Ｔ１とし、第１の時期Ｔ１から第２の時期Ｔ２までの期間を、廃インクタンク交換時期Ｄとする。このようにすると、廃インクタンク交換時期Ｄは時点でなく期間となる。従って、廃インクタンク１６の交換が間に合わない場合と、廃インクタンク１６の交換が早すぎる場合のどちらが望ましくないかをユーザーが適宜判断して廃インクタンク１６の交換準備を行うことができる。
【００３９】
（印刷システムの他の形態）
図８は、本発明を適用した他の形態の印刷システムの構成図である。印刷システム１００Ａは、印刷装置１Ａおよびサーバー４０Ａを備えており、印刷装置１Ａとサーバー４０Ａは通信可能である。印刷システム１００Ａは、廃インク量の積算と廃インクタンク交換時期の予測をサーバー４０Ａで行う。サーバー４０の制御部４１は、積算部４２および予測部４３と、複数の印刷装置１Ａの廃インクタンク交換時期を管理する管理部４４を備える。印刷装置１Ａは、制御部２０Ａを除き、上記形態の印刷装置１と同一に構成されている。
【００４０】
印刷装置１Ａの制御部２０Ａは、上記の３種類のメンテナンス動作の実施履歴および各メンテナンス動作で発生した廃インク量のデータをサーバー４０Ａに送信する。制御部２０Ａは、例えば、メンテナンス動作が発生する毎に、上記のデータをサーバー４０Ａに送信する。サーバー４０Ａでは、受信したデータに基づき、積算部４２が廃インク量の積算量Ｑを更新する。積算部４２は、複数の印刷装置１Ａのそれぞれに対して、積算量Ｑの更新処理を行う。予測部４３は、各印刷装置１Ａについて積算量Ｑが上限量の８０％を超えるか否かを監視し、８０％を越えた印刷装置１Ａに対して廃インクタンク交換時期を予測する。廃インクタンク交換時期の予測方法は、上述した印刷装置１の予測部２６が行う方法と同一であり、上述した変形例（１）、（２）の予測方法を用いてもよい。従って、上記形態と同様に、廃インクタンク交換時期を精度良く予測できる。
【００４１】
管理部４４は、印刷装置１Ａのそれぞれについて廃インクタンク交換時期が算出された場合にそのデータを取得して保持する。また、管理部４４は、廃インクタンク交換時期が算出された場合には印刷装置１Ａに対して廃インクタンク交換時期を送信する。印刷装置１Ａは、サーバー４０Ａから廃インクタンク交換時期を受信すると、上記の印刷装置１と同様に、図示しない表示部に所定の表示を行うことによって、廃インクタンク交換時期を報知する。例えば、表示部に廃インクタンク１６の交換を促す表示を行う。
【００４２】
サーバー４０Ａは、図６の形態と同様にネットワークを介して情報機器５０と通信可能である。従って、予測部４３によって廃インクタンク交換時期の予測が行われた場合には、情報機器５０に対して電子メールなどの手段で廃インクタンク交換時期を送信する。これにより、印刷装置１を使用あるいは管理するユーザーが廃インクタンク交換時期を遅滞なく知ることができる。従って、廃インクタンク１６の交換準備を遅滞なく行うことができる。
【符号の説明】
【００４３】
１、１Ａ…印刷装置、２…ロール紙、３…ロール紙装填部、４…プラテン、５…搬送路、６…搬送機構、７…繰り出しローラー、８…搬送ローラー対、８ａ…駆動ローラー、８ｂ…従動ローラー、９…紙送りモーター、１０…印刷ヘッド、１０Ａ…印刷位置、１０Ｂ…メンテナンス位置、１１、１１Ｃ、１１Ｍ、１１Ｙ、１１Ｋ…カートリッジ、１２…カートリッジ装着部、１３…メンテナンス機構、１４…ヘッドキャップ、１５…吸引ポンプ、１６…廃インクタンク、１７…ヘッド移動機構、１８…キャリッジ、１９…キャリッジモーター、２０、２０Ａ…制御部、２１…通信部、２２…印刷制御部、２３…メンテナンス実行部、２４…表示制御部、２５…積算部、２６…予測部、３０…表示部、４０、４０Ａ…サーバー、４１…制御部、４２…積算部、４３…予測部、４４…管理部、５０…情報機器、１００、１１０Ａ…印刷システム、Ｐ…印刷媒体、Ｔ１…廃インクタンク交換時期（第１の時期）、Ｔ２…第２の時期、Ｄ…廃インクタンク交換時期。
【図１】
2017080916.tif 000003
【図２】
2017080916.tif 000004
【図３】
2017080916.tif 000005
【図４】
2017080916.tif 000006
【図５】
2017080916.tif 000007
【図６】
2017080916.tif 000008
【図７】
2017080916.tif 000009
【図８】
2017080916.tif 000010